(57)【要約】      （修正有）【課題】空間図像の組立作業をつうじて、模倣性と技巧性の習熟への支援を適度に保持しながらも、基本的には想像性と創造性の開発への支援をする事が出来る空間創造素材群を提供する。【解決手段】自然界の観察から抽出される点、線、面の３要素を端子、角棒、面板に形象化して、１２種類の素材群を提供する。これらの素材群は、ホック式着脱構造およびプラグ式嵌込構造で連結されて平面図像、曲面図像、立体図像などさまざまな中間図像を造形し、さらにそれらを組み合わせて多様な空間図像を自由に創造する。その場合、組立過程の中間図像とその手引書は豊富に提示することができるが、しかし組立結果の定形的な完成図像とその手引書は存在しない。完成図像とその手引書は、組立者一人ひとりの想像性と創造性のうちにだけ存在する。したがって、年齢別、男女別、趣味別など組立者の区別をいっさい必要としない。【選択図】図９
0003109756.tif 000002
【実用新案登録請求の範囲】
【請求項１】
ホック式着脱構造とプラグ式嵌込構造を有する各種素材を連結して造形される図像を組み合わせ、多様な空間を自由に創造する素材群の形状と構造および組合せ。
【考案の詳細な説明】
【技術分野】
【０００１】  本考案は、ホック式着脱構造とプラグ式嵌込構造により、端子と角棒と面板の各素材を連結して各種の平面図像、曲面図像、立体図像、それらの複合図像を造形し、さらにそれらを組み合わせて多様な空間を自由に創造する素材群の形状と構造および組合せである。
【背景技術】
【０００２】  近年の組立玩具類は、機能的にも形状的にもいっそう多様化する部品群と、それにともなって精緻化する完成図や手引書により、もっぱら組立者の模倣性や技巧性に依拠し助長するようになっている。もちろん模倣性や技巧性は、既存技術の継承に役立つから一概に否定されるべきではないが、しかし模倣性や技巧性だけの一面的な助長は、他面では今日の産業界や教育界においても危惧されているように、組立者の想像性や創造性の衰退を招くのではないかということが懸念される。
【考案の開示】
【考案が解決しようとする課題】
【０００３】  それに対して本考案は、人工的な機能や形状を可能なかぎり抑制し、自然界の観察から抽出される点、線、面の３要素を形象化した端子、角棒、面板の素材群を提供する。これらの素材群の組合せによって創造される空間図像には、もともと完成図や手引書となるものは存在しない。もし本考案に完成図や手引書があるとすれば、それらは一人ひとりの組立者の想像性と創造性のうちだけに存在する。本考案は、空間造形において、組立者の模倣性や技巧性の助長を適度に保持しながらも、その本旨として組立者の想像性や創造性の開発の支援に貢献することを課題としている。
【課題を解決するための手段】
【０００４】  想像性と創造性の開発という本考案の課題に鑑みて、以下の諸点に留意した。
１  素材の機能と形状が簡素であること
本考案の材料は、別添の図１〜１７に示すように、自然界の観察から抽出される点、線、面の３要素を１２種類の素材に形象化している。なお、本考案の個々の材料を部品といわずに素材と呼んでいるのは、個々の材料の機能と形状から人工的な要素を可能なかぎり排除しているからである。
２  造形の設計と過程が自由であること
本考案があらかじめ提供できる造形単位は、後述する図５〜９に示す事例およびそれらの応用例程度であって、それ以外には完成図や手引書に相当するものは存在しない。したがって、それらの造形単位がその後どのように展開していくかは、すべて組立者の想像性と創造性に依拠している。
３  組立の結果と様式が多様であること
本考案では組立の中間段階で、立方体、直方体、円柱体、球面体など各種図像が造形されるが、それらはいずれも本考案の完成像ではない。本考案の基本趣旨はそれらの図像の組合せによる自由かつ多様な空間図像の創造にあり、その結果は組立者の想像性と創造性に委ねられるところである
【考案の効果】
【０００５】  本考案は、たんに年少者向けの遊具類や愛好家向けの愛玩物としてではなく、広く教育、芸術、産業、医療などの分野における多目的素材として活用されることを目指している。その活用範囲を例示すれば、以下のとおりである。
１  年少者向けの想像性と創造性の開発の素材として。
２  成人者向けの想像性と創造性の開発の素材として。
３  教育界における理数教育や造形教育の素材として。
４  芸術界における造形美術や空間芸術の素材として。
５  産業界における各種構造模型の構築の素材として。
６  障害者や高齢者のリハビリ作業療法の素材として。
【考案を実施するための最良の形態】
【０００６】  本考案は標準規格を定めていないが、試作品では硬質無色透明プラスチック材を使用し、図１の長さを４０ｍｍ、幅員を１０ｍｍ、図３の一辺を１０ｍｍ、図１０の一辺を４０ｍｍ、厚さを２ｍｍ、図１１の一辺を４０ｍｍ、厚さを１０ｍｍとして、実験をくりかえした。その結果により、本考案を実施するための最良の形態として以下のように提言する。
【実施例１】素材の規格について
本考案は、試作品の実験によると、成人者や健常者が使用する場合には試作品の寸法で十分であるが、幼年者が遊具として用いる場合、あるいは障害者や高齢者がリハビリ作業療法用具として用いる場合には、試作品の寸法の１．５倍ないしは２．０倍程度の大きめの寸法のものが適切であると想定される。
【実施例２】素材の硬度について
本考案は、素材間の連結の一部をホック式着脱構造にしており、その着脱構造を保持するには各素材の十分な硬度が必要であるが、しかし素材の硬度を高めれば高めるほど素材間の分離に指力を要するので、その場合にはたとえば平型彫刻刀形状などの補助用具を使用すると簡単に分離することができる。
【実施例３】素材の色彩について
本考案の素材に色彩や模様を施すか否かは、本素材の製造者あるいは組立者の自由であるが、色彩や模様を含めての想像性と創造性の開発という本考案の趣旨からすれば、たとえば本素材の各種面板部分に適合する着脱可能な色彩粘着シートまたは模様粘着シートを補助品として提供することが望まれる。
【実施例４】素材の透明について
素材の透明性についても、本素材の製造者あるいは組立者の自由であるが、これも本考案の提供趣旨からすれば、素材の透明性は空間造形物の組立過程や内部構造の観察を可能にし、そのことがまた組立者の想像性や創造性を持続的に伸展していくことから、上記の実施例３の方法に従うことが望まれる。
【図面の簡単な説明】
【０００７】
【図１】直線角棒の斜視図  図１は、直線、平面、曲面、方体、円柱などの造形に使用する直線角棒の斜視図である。本素材の両端に円形状突起と４側面に直線状削溝がある。
【図２】曲線角棒の斜視図  図２は、曲線、平面、曲面、円柱、球体などの造形に使用する曲線角棒の斜視図である。本素材の両端に円形状突起と４側面に曲線状削溝がある。なお、図１と図２の長さの関係は、後述の図６に示すとおりである。
【図３】第一端子の斜視図  図３は、角棒同士の連結に使用する第一端子の斜視図である。本素材の６面に円形状削溝がある。
【図４】第二端子の斜視図  図４は、端子同士の連結に使用する第二端子の斜視図である。本素材の１面に円形状突起と５面に円形状削溝がある。
【図５】方形平面枠組の斜視図  図５は、図１の直線角棒４個、図３の第一端子４個を連結して造形される方形平面枠組の斜視図である。この枠組は、平面図像や立体図像を造形する場合の基礎単位となる。
【図６】扇形平面枠組の斜視図  図６は、図１の直線角棒２個、図２の曲線角棒１個、図３の第一端子３個を連結して造形される扇形平面枠組の斜視図である。この枠組は、円形図像や円柱図像を造形する場合の基礎単位となる。
【図７】波形曲面枠組の斜視図  図７は、図１の直線角棒２個、図２の曲線角棒２個、図３の第一端子４個を連結して造形される波形曲面枠組の斜視図である。この枠組は、波形図像や円柱図像を造形する場合の基礎単位となる。
【図８】球形曲面枠組の斜視図  図８は、図２の曲線角棒３個、図３の第一端子３個を連結して造形される球形曲面枠組の斜視図である。この枠組は、半球図像や全球図像を造形する場合の基礎単位となる
【図９】重合図像枠組の斜視図  図９は、図５の方形平面枠組と図６の扇形平面枠組を連結して造形される重合図像枠組の斜視図である。ただしこの場合、端子の一部に図４の第二端子を使用して、図３の第一端子円形状削溝と図４の第二端子円形状突起を重ね合わせる。
【図１０】方形平面薄板の斜視図  図１０は、図５の方形平面枠組に装着する方形平面薄板の斜視図である。図５において、外枠角棒と枠内平板の区別化を強調する場合に使用する。
【図１１】方形平面厚板の斜視図  図１１は、図５の方形平面枠内に装着する方形平面厚板の斜視図である。図５において、外枠角棒と枠内平板の一体化を強調する場合に使用する。
【図１２】扇形平面薄板の斜視図  図１２は、図６の扇形平面枠内に装着する扇形平面薄板の斜視図である。図６において、外枠角棒と枠内平板の区別化を強調する場合に使用する。
【図１３】扇形平面厚板の斜視図  図１３は、図６の扇形平面枠内に装着する扇形平面厚板の斜視図である。図６において、外枠角棒と枠内平板の一体化を強調する場合に使用する。
【図１４】波形曲面薄板の斜視図  図１４は、図７の波形曲面枠内に装着する波形曲面薄板の斜視図である。図７において、外枠角棒と枠内曲板の区別化を強調する場合に使用する。
【図１５】波形曲面厚板の斜視図  図１５は、図７の波形曲面枠内に装着する波形曲面厚板の斜視図である。図７において、外枠角棒と枠内曲板の一体化を強調する場合に使用する。
【図１６】球形曲面薄板の斜視図  図１６は、図８の球形曲面枠内に装着する球形曲面薄板の斜視図である。図８において、外枠角棒と枠内曲板の区別化を強調する場合に使用する。
【図１７】球形曲面厚板の斜視図  図１７は、図８の球形曲面枠内に装着する球形曲面厚板の斜視図である。図８において、外枠角棒と枠内曲板の一体化を強調する場合に使用する。
【符号の説明】
【０００８】  （１）は図１・２・４の（１）円形状突起である。図３・４の（５）とホック方式で連結される。
（２）図１の（２）は直線状削溝である。図１０・１１・１２・１３・１４・１５の（６）とプラグ方式で連結される。
（３）図２の内側面の（３）は曲線状削溝である。図１２・１３の（７）とプラグ方式で連結される。
（４）図２の横側面の（４）は曲線状削溝である。図１４・１５・１６・１７の（８）とプラグ方式で連結される。
（５）図３・４の（５）は円形状削溝である。図１・２・４の（１）とホック方式で連結される。
（６）図１０・１１・１２・１３・１４・１５の（６）は直線状突起である。図１の（２）とプラグ方式で連結される。
（７）図１２・１３の（７）は曲線状突起である。図２の内側面の（３）とプラグ方式で連結される。
（８）図１４・１５・１６・１７の（８）は曲線状突起である。図２の横側面の（４）とプラグ方式で連結される。
【図１】
0003109756.tif 000003
【図２】
0003109756.tif 000004
【図３】
0003109756.tif 000005
【図４】
0003109756.tif 000006
【図５】
0003109756.tif 000007
【図６】
0003109756.tif 000008
【図７】
0003109756.tif 000009
【図８】
0003109756.tif 000010
【図９】
0003109756.tif 000011
【図１０】
0003109756.tif 000012
【図１１】
0003109756.tif 000013
【図１２】
0003109756.tif 000014
【図１３】
0003109756.tif 000015
【図１４】
0003109756.tif 000016
【図１５】
0003109756.tif 000017
【図１６】
0003109756.tif 000018
【図１７】
0003109756.tif 000019